(57)【要約】【課題】ユーザが確認したいジョブ情報の識別を容易に行うこと。【解決手段】複数のジョブを予約可能であり、予約ジョブの情報を時系列に表示部４１にリスト表示する画像形成装置において、ユーザ名情報及び当該ユーザ名情報に対応する色情報の入力を受け付ける操作部４と、操作部４により入力されたユーザ名情報と色情報とを関連付けて記憶する記憶部５７と、予約ジョブの情報を表示部４１に表示する際、予約ジョブの情報にユーザ名情報が含まれる場合、記憶部５７を参照し、ユーザ名情報毎に対応する色情報の色で予約ジョブの情報を表示部４１に表示させる制御部５６と、を備える。【選択図】図１
2008306646.tif 000002
【特許請求の範囲】
【請求項１】
複数のジョブを予約可能であり、予約ジョブの情報を時系列に表示部にリスト表示する画像形成装置において、
ユーザ名情報及び当該ユーザ名情報に対応する色情報の入力を受け付ける第１の操作部と、
前記第１の操作部により入力されたユーザ名情報と色情報とを関連付けて記憶する記憶部と、
前記予約ジョブの情報を前記表示部に表示する際、前記予約ジョブの情報に前記ユーザ名情報が含まれる場合、前記記憶部を参照し、前記ユーザ名情報毎に対応する前記色情報の色で前記予約ジョブの情報を前記表示部に表示させる制御部と、
を備える画像形成装置。
【請求項２】
前記制御部は、
前記ユーザ名情報と色情報と関連付けて前記記憶部に記憶させる際、当該色情報の重複を禁止する請求項１に記載の画像形成装置。
【請求項３】
前記第１の操作部は、
前記予約ジョブの情報の表示形態を変更する指示情報の入力を受け付け、
前記制御部は、
前記第１の操作部により前記予約ジョブの情報の表示形態を変更する指示情報が受け付けられた場合、当該受け付けられた指示情報に基づいて、前記予約ジョブの情報を前記表示部に表示させる請求項１又は２に記載の画像形成装置。
【請求項４】
複数のジョブを予約可能であり、予約ジョブの情報を時系列に表示部にリスト表示する画像形成装置において、
前記予約ジョブの情報を前記表示部に表示する際、前記予約ジョブの情報に含まれる表示色情報の色で前記予約ジョブの情報を前記表示部に表示させる制御部を備える画像形成装置。
【請求項５】
前記表示色情報の入力を受け付ける第２の操作部を有する外部装置と通信する通信部を備え、
前記制御部は、
前記通信部を介して前記第２の操作部により受け付けられた表示色情報を前記外部装置から受信し、当該受信した表示色情報の色で前記予約ジョブの情報を前記表示部に表示させる請求項４に記載の画像形成装置。
【請求項６】
前記第２の操作部は、
前記予約ジョブの情報の表示形態を変更する指示情報の入力を受け付け、
前記制御部は、
前記第２の操作部により前記予約ジョブの情報の表示形態を変更する指示情報が受け付けられた場合、当該受け付けられた指示情報に基づいて前記予約ジョブの情報を前記表示部に表示させる請求項５に記載の画像形成装置。
【請求項７】
複数のジョブを予約可能であり、予約ジョブの情報を時系列に表示部にリスト表示する画像形成装置の画像形成方法において、
ユーザ名情報及び当該ユーザ名情報に対応する色情報の入力を受け付ける工程と、
前記予約ジョブの情報を前記表示部に表示する際、前記予約ジョブの情報に前記ユーザ名情報が含まれる場合、前記ユーザ名情報と色情報とを関連付けて記憶する記憶部を参照し、前記ユーザ名情報毎に対応する前記色情報の色で前記予約ジョブの情報を前記表示部に表示させる工程と、
を含む画像形成方法。
【請求項８】
複数のジョブを予約可能であり、予約ジョブの情報を時系列に表示部にリスト表示する画像形成装置の画像形成方法において、
前記予約ジョブの情報を前記表示部に表示する際、前記予約ジョブの情報に含まれる表示色情報の色で前記予約ジョブの情報を前記表示部に表示させる工程を含む画像形成方法。
【発明の詳細な説明】
【技術分野】
【０００１】
本発明は、画像形成装置及び画像形成方法に関する。
【背景技術】
【０００２】
従来より、ジョブ情報をリスト表示する技術を用いた画像形成装置が知られている。
【０００３】
例えば、実行可能ジョブと実行不可能ジョブとを異なる表示形態で表示する技術を用いた画像形成装置が知られている（例えば、特許文献１参照）。当該技術により、リスト表示されるジョブ情報の中から、実行可能ジョブと実行不可能ジョブとを識別することができる。
【特許文献１】特開２００２−２２５３８９号公報
【発明の開示】
【発明が解決しようとする課題】
【０００４】
しかしながら、上記の技術では、リスト表示される予約ジョブの情報（ジョブ情報）の中から、ユーザが確認したいジョブ情報の識別を容易に行うことはできなかった。すなわち、ユーザがジョブ情報を確認したい場合、文字を視認できる距離まで近づかないと、ジョブ情報の識別を行うことはできなかった。
【０００５】
また、ＰＯＤ（Print On Demand）方式が活用されている現場では、複数の画像形成装置を同時に連動させて画像形成を行う。この場合、複数の画像形成装置を、１人の監視者（ユーザ）が監視しなければならない。
【０００６】
図１０は、複数の画像形成装置が同時に連動している状況において、各画像形成装置の表示部に表示されるジョブ情報確認画面Ｇ４の一例を示した図である。図１０に示すように、ジョブ情報確認画面Ｇ４は、ジョブ情報リスト９１が時系列に表示される。ジョブ情報リスト９１とは、各ジョブのジョブ情報の一覧を示すリストのことをいう。ジョブ情報とは、「ＪＯＢ  Ｎｏ．」、「モード」、「状態」、「時間」、「ユーザ」等の情報のことをいう。
【０００７】
例えば、複数の画像形成装置が同時に連動している状況において、ユーザが「ユーザ：鈴木製作所Ａ」のジョブ情報を確認するとする。この場合、ユーザは、複数の画像形成装置の中から「ユーザ：鈴木製作所Ａ」のジョブを実行する画像形成装置の表示部付近まで近づく必要がある。そして、表示部に表示されているジョブリストの中から「ユーザ：鈴木製作所Ａ」のジョブ情報の識別を行う必要がある。すなわち、ユーザは、「ユーザ：鈴木製作所Ａ」の文字を視認できる距離まで近づいて、ジョブ情報を識別する必要がある。このため、ユーザが確認したいジョブ情報の識別を行う際、手間を要していた。
【０００８】
本発明の課題は、ユーザが確認したいジョブ情報の識別を容易に行うことである。
【課題を解決するための手段】
【０００９】
上記課題を解決するため、請求項１に記載の発明の画像形成装置は、
複数のジョブを予約可能であり、予約ジョブの情報を時系列に表示部にリスト表示する画像形成装置において、
ユーザ名情報及び当該ユーザ名情報に対応する色情報の入力を受け付ける第１の操作部と、
前記第１の操作部により入力されたユーザ名情報と色情報とを関連付けて記憶する記憶部と、
前記予約ジョブの情報を前記表示部に表示する際、前記予約ジョブの情報に前記ユーザ名情報が含まれる場合、前記記憶部を参照し、前記ユーザ名情報毎に対応する前記色情報の色で前記予約ジョブの情報を前記表示部に表示させる制御部と、を備える。
【００１０】
請求項２に記載の発明の画像形成装置は、請求項１に記載の画像形成装置において、
前記制御部は、
前記ユーザ名情報と色情報と関連付けて前記記憶部に記憶させる際、当該色情報の重複を禁止する。
【００１１】
請求項３に記載の発明の画像形成装置は、請求項１又は２に記載の画像形成装置において、
前記第１の操作部は、
前記予約ジョブの情報の表示形態を変更する指示情報の入力を受け付け、
前記制御部は、
前記第１の操作部により前記予約ジョブの情報の表示形態を変更する指示情報が受け付けられた場合、当該受け付けられた指示情報に基づいて、前記予約ジョブの情報を前記表示部に表示させる。
【００１２】
請求項４に記載の発明の画像形成装置は、
複数のジョブを予約可能であり、予約ジョブの情報を時系列に表示部にリスト表示する画像形成装置において、
前記予約ジョブの情報を前記表示部に表示する際、前記予約ジョブの情報に含まれる表示色情報の色で前記予約ジョブの情報を前記表示部に表示させる制御部を備える。
【００１３】
請求項５に記載の発明は、請求項４に記載の画像形成装置において、
前記表示色情報の入力を受け付ける第２の操作部を有する外部装置と通信する通信部を備え、
前記制御部は、
前記通信部を介して前記第２の操作部により受け付けられた表示色情報を前記外部装置から受信し、当該受信した表示色情報の色で前記予約ジョブの情報を前記表示部に表示させる。
【００１４】
請求項６に記載の発明は、請求項５に記載の画像形成装置において、
前記第２の操作部は、
前記予約ジョブの情報の表示形態を変更する指示情報の入力を受け付け、
前記制御部は、
前記第２の操作部により前記予約ジョブの情報の表示形態を変更する指示情報が受け付けられた場合、当該受け付けられた指示情報に基づいて前記予約ジョブの情報を前記表示部に表示させる。
【００１５】
請求項７に記載の発明の画像形成方法は、
複数のジョブを予約可能であり、予約ジョブの情報を時系列に表示部にリスト表示する画像形成装置の画像形成方法において、
ユーザ名情報及び当該ユーザ名情報に対応する色情報の入力を受け付ける工程と、
前記予約ジョブの情報を前記表示部に表示する際、前記予約ジョブの情報に前記ユーザ名情報が含まれる場合、前記ユーザ名情報と色情報とを関連付けて記憶する記憶部を参照し、前記ユーザ名情報毎に対応する前記色情報の色で前記予約ジョブの情報を前記表示部に表示させる工程と、を含む。
【００１６】
請求項８に記載の発明の画像形成方法は、
複数のジョブを予約可能であり、予約ジョブの情報を時系列に表示部にリスト表示する画像形成装置の画像形成方法において、
前記予約ジョブの情報を前記表示部に表示する際、前記予約ジョブの情報に含まれる表示色情報の色で前記予約ジョブの情報を前記表示部に表示させる工程を含む。
【発明の効果】
【００１７】
請求項１、８記載の発明によれば、予約ジョブの情報を表示部に表示する際、ユーザ名情報と色情報とを関連付けて記憶する記憶部を参照し、ユーザ名情報毎に対応する色情報の色で予約ジョブの情報を表示部に表示させることができる。これにより、ユーザは予約ジョブの情報の文字を視認できる距離まで近づく必要がないので、ユーザが確認したいジョブの情報（ジョブ情報）の識別を容易に行うことができる。
【００１８】
請求項２に記載の発明によれば、色情報の重複を禁止することができる。これにより、予約ジョブの情報が重複した色で表示されることがないので、ユーザは予約ジョブの情報の識別を容易に行うことができる。
【００１９】
請求項３、６に記載の発明によれば、予約ジョブの情報の表示形態を変更する指示情報に基づいて、予約ジョブの情報を表示部に表示させることができる。これにより、ユーザは、予約ジョブの情報の識別を容易に行うことができる。
【００２０】
請求項４、８に記載の発明によれば、予約ジョブの情報に含まれる表示色情報の色で予約ジョブの情報を表示部に表示させることができる。これにより、ユーザは予約ジョブの情報の文字を視認できる距離まで近づく必要がないので、ユーザが確認したいジョブの情報（ジョブ情報）の識別を容易に行うことができる。
【００２１】
請求項５に記載の発明によれば、第２の操作部により受け付けられた表示色情報の色でジョブ情報を表示部に表示させることができる。これにより、ユーザは、第２の操作部を介して、表示色情報を指定することができる。
【発明を実施するための最良の形態】
【００２２】
以下、添付図面を参照して本発明に係る第１〜第２の実施の形態を説明する。ただし、発明の範囲は図示例に限定されない。
【００２３】
（第１の実施の形態）
図１〜図６を参照して、本発明に係る第１の実施の形態を説明する。先ず、図１及び図２を参照して、本実施の形態の装置構成を説明する。図１に、本実施の形態に係る画像形成装置１００の構成例を示す。図２に、ＰＣ（Personal Computer）２００の内部構成例を示す。
【００２４】
先ず、図１を参照して、本実施の形態の画像形成装置１００を説明する。画像形成装置１００は、スキャナ部１と、プリント部２と、ＦＮＳ（フィニッシャ）３と、第１の操作部としての操作部４と、制御基板５と、を備えて構成される。
【００２５】
スキャナ部１は、例えば、原稿に対し光を照射し、反射される光をＣＣＤ（Charged  Coupled  Device）やＣＭＯＳ（Complementary  Metal-Oxide  Semiconductor）等の光電
変換装置で捉える。そして、捉えたアナログの電気信号から図示しないＡ／Ｄ変換器によりデジタル信号（画像信号）に変換し、読取処理部５１に出力することにより、原稿の読み取りを行う。
【００２６】
プリント部２は、例えば、電子写真プロセス等により各種の画像形成を行う公知の画像形成機構から構成されるものである。なお、プリント部２はこれに限定されるものではなく、インク吐出方式や感熱方式等の種々の画像形成機構を適用することができる。
また、画像形成装置１００には、例えば、プリント部２により画像形成された用紙にステイプルや中綴じ等の後処理を施すＦＮＳ３が設けられる。
【００２７】
操作部４は、例えば、表示部４１、赤外線式や静電式のタッチパネル（図示省略）や各種の操作キー（図示省略）を備えて構成され、ユーザにより操作されることにより各種の操作信号を制御部５６に出力する。
具体的には、操作部４は、ユーザ名情報及び当該ユーザ名情報に対応する色情報の入力を受け付ける。また、予約ジョブの情報（ジョブ情報）の表示形態を変更する指示情報の入力を受け付ける。ここで、色情報とは、ジョブ情報を表示部４１に表示する際における当該ジョブ情報の背景色のことをいう。また、ジョブ情報の表示形態を変更する指示情報とは、例えば、ジョブ情報の表示形態を点滅表示させるための指示情報のことをいう。
【００２８】
表示部４１は、ＬＣＤ（Liquid Crystal Display）等により構成され、制御部５６から入力される表示信号の指示に従って表示画面上に各種操作ボタンや装置の状態表示、各機能の動作状況等をカラー表示する。また、表示部４１は、例えば、タッチパネル等より構成される操作部４と一体に構成されており、ユーザは、表示部４１に表示された操作画面の各種ボタンを押下することで入力指示を行うようになっている。また、表示部４１には、後述する色情報登録画面Ｇ１及びジョブ情報確認画面Ｇ２が表示される。
【００２９】
制御基板５は、例えば、図１に示すように、読取処理部５１と、書込処理部５２と、ＶＲＡＭ（Video  Random  Access  Memory）５３と、表示制御部５４と、通信部としてのプリントコントローラ５５と、制御部５６と、記憶部５７と、を備えて構成される。
【００３０】
読取処理部５１は、例えば、スキャナ部１から入力される画像信号にシェーディング処理等の各種処理を施し、制御部５６に出力する。
【００３１】
書込処理部５２は、例えば、入力される画像データに基づいて、画像形成のためのプリントデータを生成し、プリント部２に出力する。
【００３２】
ＶＲＡＭ５３は、例えば、制御部５６から入力される画面データに対して所定の画像処理を施し、表示部４１に当該画面データを送信するバッファである。
【００３３】
表示制御部５４は、例えば、ＣＰＵ（Central  Processing  Unit）やＭＰＵ（Micro  Processing  Unit）等を備えて構成され、制御部５６からの表示信号に基づいて、表示部４１の輝度調節などの画像表示制御を行う。
【００３４】
プリントコントローラ５５は、例えば、ＬＡＮＩＦ（Local  Area  Network  Interface）等を備えて構成されている。画像形成装置１００は、当該プリントコントローラ５５を介して、ネットワーク（図示省略）上のＰＣ２００と通信可能に接続され、ＰＣ２００から送信されるプリントジョブを受け付ける。
【００３５】
制御部５６は、例えば、ＣＰＵ（Central  Processing  Unit）５６１、ＲＡＭ（Random  Access  Memory）５６２、ＲＯＭ（Read  Only  Memory）５６３等を備えて構成され、画像処理装置１００の各部を中央制御する。制御部５６は、ＲＯＭ５６３に記憶されているシステムプログラム及び各種アプリケーションプログラムの中から指定されたプログラムをＲＡＭ５６２に展開し、ＲＡＭ５６２に展開されたプログラムとＣＰＵ５６１との協働で、各種処理を実行する。特に、ＲＯＭ５６３には、後述する色情報登録プログラム、第１の表示プログラム、が記憶される。
【００３６】
制御部５６は、色情報登録プログラムにより、操作部４により入力されたユーザ名情報と色情報とを関連付けて記憶部５７に記憶させる。また、第１の表示プログラムにより、予約ジョブの情報（ジョブ情報）を表示部４１に表示する際、ジョブ情報にユーザ名情報が含まれる場合、記憶部５７を参照し、ユーザ名情報毎に対応する色情報の色でジョブ情報を表示部４１に表示させる。また、ユーザ名情報と色情報とを関連付けて記憶部５７に記憶させる際、当該色情報の重複を禁止する。
【００３７】
記憶部５７は、ＨＤＤ（Hard Disk Drive）等により構成され、各種プログラム及び各種データを記憶する。記憶部５７には、ユーザ名情報と色情報とが関連付けて記憶される。
【００３８】
ＰＣ２００は、表示色情報を画像形成装置１００に送信する装置である。表示色情報とは、ジョブ情報を表示部４１に表示する際における当該ジョブ情報の背景色のことをいう。表示色情報は、ユーザにより操作部２２を介して指定される。図２に示すように、ＰＣ２００は、ＣＰＵ２１と、第２の操作部としての操作部２２と、ＲＡＭ２３と、表示部２４と、記憶部２５と、通信部２６と、を備えて構成される。
【００３９】
ＣＰＵ２１は、ＰＣ２００の各部を中央制御する。操作部２２は、カーソルキー、数字入力キー及び各種機能キーなどを備えたキーボードを含む構成とし、操作者によりキーボードで押下された押下信号をＣＰＵ２１に出力する。また、操作部２２は、マウスなどのポインティングデバイスを含む構成としてもよい。
【００４０】
具体的には、操作部２２は、表示色情報の入力を受け付ける。また、ジョブ情報の表示形態を変更する指示情報の入力を受け付ける。
【００４１】
ＲＡＭ２３は、揮発性のメモリであり、実行される各種プログラムやこれら各種プログラムに係るデータ等を一時的に記憶するワークエリアを形成する。
【００４２】
表示部２４は、ＬＣＤ、ＣＲＴ（Cathode Ray Tube）等で構成され、ＣＰＵ２１からの表示信号に従ってカラー画面の表示を行う。また、表示部２４には、後述するプリント設定画面Ｇ３が表示される。
【００４３】
記憶部２５は、ＨＤＤ（Hard Disk Drive）等により構成され、各種プログラム及び各種データを記憶する。
【００４４】
通信部２６は、モデム、ＴＡ（Terminal Adapter）、ルータ、ネットワークカード等により構成され、画像形成装置１００と情報を送受信する。
【００４５】
次いで、図３を参照して、表示部４１に表示される色情報登録画面Ｇ１の一例について説明する。色情報登録画面Ｇ１は、ユーザ名情報に関連付けて色情報を登録する画面である。色情報登録画面Ｇ１は、ユーザ名ボタン３１と、登録ボタン３２と、削除ボタン３３と、ユーザ名入力ボタン３４と、色ボタン３５と、キャンセルボタン３６と、ＯＫボタン３７と、を含む。
【００４６】
ユーザ名ボタン３１は、ユーザ名情報を示すボタンである。登録ボタン３２は、ユーザ名情報と色情報とを関連付けて記憶（登録）するためのボタンである。削除ボタン３３は、登録されたユーザ名情報と色情報とを削除するためのボタンである。ユーザ名入力ボタン３４は、ユーザ名情報を入力するためのボタンである。色ボタン３５は、複数のボタンで構成されており、色情報を示すボタンである。色ボタン３５の各ボタンは、異なる色で表示される。例えば、赤色ボタン３５Ａは赤色、青色ボタン３５Ｂは青色、黄色ボタン３５Ｃは黄色、緑色ボタン３５Ｄは緑色で表示される。また、色ボタン３５Ａ〜３５Ｄ以外の色ボタン３５についても異なる色で表示される。
【００４７】
次いで、図４を参照して、ジョブ情報確認画面Ｇ２について説明する。ジョブ情報確認画面Ｇ２は、予約ジョブの情報（ジョブ情報）を確認するための画面である。ジョブ情報確認画面Ｇ２は、ジョブ情報リスト７１が時系列に表示される。ジョブ情報リスト７１とは、各ジョブのジョブ情報の一覧を示すリストのことをいう。ジョブ情報とは、「ＪＯＢ  Ｎｏ．」、「モード」、「状態」、「時間」、「ユーザ」等の情報のことをいう。ここで、「ＪＯＢ  Ｎｏ．」は、ジョブの番号を示す。「モード」は、ジョブのモードを示す。「状態」は、ジョブの状態を示す。「時間」は、ジョブを実行するのに必要な時間を示す。「ユーザ」は、ジョブを実行するユーザ名情報を示す。
【００４８】
例えば、図３の色情報登録画面Ｇ１で「山田製作所」を「赤色」に登録したとする。この場合、ジョブ情報確認画面Ｇ２のジョブ情報リスト７１における「山田製作所」のジョブ情報は、図４に示すように赤色で表示される。
【００４９】
次いで、図５及び図６を参照して、画像形成装置１００の動作を説明する。図５に色情報登録処理の流れを示す。図６に第１の表示処理の流れを示す。
【００５０】
先ず、図５を参照して、色情報登録処理について説明する。色情報登録処理は、ユーザ名情報に関連付けて色情報を登録する処理である。
【００５１】
例えば、画像形成装置１００において、色情報登録処理の実行指示が操作部４を介して入力されたこと等をトリガとして、ＲＯＭ５６３から読み出されて適宜ＲＡＭ５６２に展開された色情報登録プログラムと、ＣＰＵ５６１との協働により色情報登録処理が実行される。  
【００５２】
先ず、色情報登録画面が表示部４１に表示される（ステップＳ１１）。例えば、図３で説明した色情報登録画面Ｇ１が表示部４１に表示される。そして、ユーザ名情報の入力が操作部４を介して受け付けられる（ステップＳ１２）。例えば、色情報登録画面Ｇ１のユーザ名入力ボタン３４がユーザにより押下された後、操作部４を介してユーザ名情報の入力が受け付けられる。
【００５３】
ステップＳ１２の実行後、色情報の入力が操作部４を介して受け付けられる（ステップＳ１３）。例えば、色情報登録画面Ｇ１における複数の色ボタン３５の中から１つの色ボタン３５が選択入力されることにより色情報が入力される。
【００５４】
ステップＳ１３の実行後、色情報が登録済みであるか否かが判別される（ステップＳ１４）。例えば、色情報がユーザ名情報に関連付けられて記憶部５７に記憶（登録）済みであるか否かが判別される。ステップＳ１４において、色情報が登録済みであると判別された場合（ステップＳ１４；ＹＥＳ）、ステップＳ１２に移行される。すなわち、ステップＳ１４の判別により、色情報の重複登録が禁止される。
【００５５】
ステップＳ１３において、色情報が登録済みでないと判別された場合（ステップＳ１４；ＮＯ）、登録情報が記憶部５７に記憶される（ステップＳ１５）。登録情報とは、ユーザ名情報及び色情報のことをいう。例えば、ユーザ名情報「山田製作所」と色情報「赤色」とを関連付けて登録する場合、「山田製作所」と「赤色」とが関連付けられて記憶部５７に記憶される。ステップＳ１５の実行後、色情報登録処理は終了する。
なお、上記のステップＳ１５において、ユーザ名情報が重複する場合、異なるユーザ名情報が記憶部５７に記憶される。例えば、色情報登録画面Ｇ１のユーザ名情報「鈴木製作所」が重複する場合、「鈴木製作所Ａ」、「鈴木製作所Ｂ」のように異なるユーザ名が記憶部５７に記憶される。
また、色情報登録画面Ｇ１の削除ボタン３３が押下された場合、記憶部５７に記憶された登録情報が削除される。
【００５６】
次いで、図６を参照して、第１の表示処理について説明する。第１の表示処理は、画像形成装置１００において、色情報登録処理により登録された色情報でジョブ情報を表示する処理である。
【００５７】
例えば、画像形成装置１００において、ＰＣ２００からプリントジョブのジョブ情報を受信したこと等をトリガとして、ＲＯＭ５６３から読み出されて適宜ＲＡＭ５６２に展開された第１の表示プログラムと、ＣＰＵ５６１との協働により第１の表示処理が実行される。  
【００５８】
先ず、ＰＣ２００より受信したプリントジョブのジョブ情報にユーザ名情報があるか否かが判別される（ステップＳ１０１）。例えば、ＰＣ２００より受信したプリントジョブのジョブ情報に「山田製作所」の情報があるか否かが判別される。ステップＳ１０１において、ユーザ名情報がないと判別された場合（ステップＳ１０１；ＮＯ）、デフォルト色でジョブ情報が表示部４１に表示される（ステップＳ１０６）。例えば、デフォルト色として「白色」が設定されていた場合、図４のジョブ情報確認画面Ｇ２の「伊藤株式会社Ａ」に示すように、ジョブ情報は白色で表示部４１に表示される。図４ステップＳ１０６の実行後、第１の表示処理は終了する。
【００５９】
ステップＳ１０１において、ユーザ名情報があると判別された場合（ステップＳ１０１；ＹＥＳ）、記憶部５７に記憶された登録情報が参照されることにより、色情報登録済みのユーザ名情報であるか否かが判別される（ステップＳ１０２）。例えば、「山田製作所」は色情報と関連付けられて記憶部５７に記憶されているか否かが判別される。ステップＳ１０２において、色情報登録済みのユーザ名情報でないと判別された場合（ステップＳ１０２；ＮＯ）、ステップＳ１０６に移行される。
【００６０】
ステップＳ１０２において、色情報が登録済みのユーザ名情報であると判別された場合（ステップＳ１０２；ＹＥＳ）、登録情報の色情報が読み出され、当該読み出された色情報の色（登録色）でジョブ情報が表示される（ステップＳ１０３）。例えば、「山田製作所」に色情報として「赤色」が記憶部５７に記憶されていた場合、「赤色」でジョブ情報が表示部４１に表示される。
【００６１】
ステップＳ１０３の実行後、ジョブ情報に点滅表示を指示する情報があるか否かが判別される（ステップＳ１０４）。例えば、「山田製作所」のジョブ情報に点滅表示を指示する情報が含まれているか否かが判別される。ここで、点滅表示を指示する情報とは、ジョブ情報を表示部４１に表示させる際、当該ジョブ情報を点滅表示させるための指示情報のことをいう。ジョブ情報が点滅表示することにより、ユーザはジョブ情報を容易に認識することが可能となる。また、点滅表示を指示する情報は、操作部４を介して設定される。
【００６２】
ステップＳ１０４において、ジョブ情報に点滅表示を指示する情報がないと判別された場合（ステップＳ１０４；ＮＯ）、色情報登録処理は終了する。この場合、ジョブ情報は、登録色（例えば、赤色）で表示される。
【００６３】
ステップＳ１０４において、ジョブ情報に点滅表示を指示する情報があると判別された場合（ステップＳ１０４；ＹＥＳ）、登録色でジョブ情報が点滅表示される（ステップＳ１０５）。ステップＳ１０５の実行後、第１の表示処理は終了する。
【００６４】
以上、本実施の形態によれば、予約ジョブの情報（ジョブ情報）を表示部４１に表示する際、ユーザ名情報と色情報とを関連付けて記憶する記憶部５７を参照し、ユーザ名情報毎に対応する色情報の色でジョブ情報を表示部４１に表示させることができる。これにより、ユーザは予約ジョブの情報の文字を視認できる距離まで近づく必要がないので、ユーザが確認したいジョブ情報の識別を容易に行うことができる。
【００６５】
また、色情報の重複登録を禁止することができる。これにより、ジョブ情報が重複した色で表示されることがないので、ユーザはジョブ情報の識別を容易に行うことができる。
【００６６】
また、ジョブ情報の表示形態を変更する指示情報に基づいて、ジョブ情報を表示部４１に表示させることができる。これにより、ユーザは、ジョブ情報の識別を容易に行うことができる。  
【００６７】
（第２の実施の形態）
図７〜図９を参照して、本発明に係る第２の実施の形態を説明する。
本実施の形態の装置構成は、第１の実施の形態と同様に画像形成装置１００及びＰＣ２００を用いる。また、本実施の形態では、画像形成装置１００及びＰＣ２００と同様な部分には同一の符号を付し、その詳細な説明を援用し、異なる部分を主として説明する。
【００６８】
ＰＣ２００において、記憶部２５に表示色情報指定プログラムが記憶される。また、画像形成装置１００において、制御部５６のＲＯＭ５６２に第２の表示プログラムが記憶される。
【００６９】
ＣＰＵ２１は、表示色情報指定プログラムにより、表示色情報を含んだ予約ジョブの情報（ジョブ情報）を画像形成装置１００に送信する。
制御部５６は、第２の表示プログラムにより、ジョブ情報を表示部４１に表示する際、ジョブ情報に含まれる表示色情報の色でジョブ情報を表示部４１に表示させる。具体的には、制御部５６は、表示色情報をＰＣ２００から受信し、当該受信した表示色情報の色でジョブ情報を表示部４１に表示させる。
【００７０】
図７にＰＣ２００の表示部２４に表示されるプリント設定画面Ｇ３の一例を示す。プリント設定画面Ｇ３は、用紙に画像形成するための各種情報を設定する画面である。プリント設定画面Ｇ３は、設定画面６１と、表示色指定画面６２と、色ボタン６３と、ＯＫボタン６４と、キャンセルボタン６５と、ヘルプボタン６６と、を含む。
【００７１】
設定画面６１は、用紙方向、用紙サイズ等を設定する画面である。表示色指定画面６２は、画像形成装置１００の表示部４１に表示されるジョブ情報の表示色を指定する画面である。色ボタン６３は、色ボタン３５と同様に、複数のボタンで構成されており、色情報を示すボタンである。色ボタン６３の各ボタンは、異なる色で表示される。例えば、赤色ボタン６３Ａがユーザにより操作部２２を介してクリックされると、赤色ボタン６３Ａにチェック印が表示される。
【００７２】
次いで、図８を参照して、ＰＣ２００で実行される表示色情報指定処理の流れを説明する。表示色情報指定処理は、表示色情報を指定する処理である。
【００７３】
例えば、ＰＣ２００において、表示色情報指定処理の実行指示が操作部２２を介して入力されたこと等をトリガとして、記憶部２５から読み出されて適宜ＲＡＭ２３に展開された表示色情報指定プログラムと、ＣＰＵ２１との協働により表示色情報指定処理が実行される。  
【００７４】
先ず、プリント設定画面が表示部２４に表示される（ステップＳ２１）。例えば、図７で説明したプリント設定画面Ｇ３が表示部２４に表示される。そして、用紙方向、用紙サイズ等の入力が操作部２２を介して受け付けられる（ステップＳ２２）。例えば、プリント設定画面Ｇ３の設定画面６１における用紙方向、原稿（用紙）サイズ等の入力が操作部２２を介して受け付けられる。
【００７５】
ステップＳ２２の実行後、表示色情報の入力が操作部２２を介して受け付けられる（ステップＳ２３）。例えば、プリント設定画面Ｇ３における複数の色ボタン６３の中から赤色ボタン６３Ａが操作部２２を介してクリックされることにより色情報が入力される。
【００７６】
ステップＳ２３の実行後、ジョブのジョブ情報が作成される（ステップＳ２４）。例えば、ステップＳ２２及びステップＳ２３で入力されたジョブに関するジョブ情報が作成される。ここで、当該ジョブ情報には表示色情報が含まれる。ステップＳ２４の実行後、作成されたジョブ情報が画像形成装置１００に送信される（ステップＳ２５）。ジョブ情報は、通信部２６及びプリントコントローラ５５を介して画像形成装置１００に送信される。ステップＳ２５の実行後、表示色情報指定処理は終了する。
【００７７】
次いで、図９を参照して、画像形成装置１００で実行される第２の表示処理について説明する。第２の表示処理は、表示色情報の色でジョブ情報を表示部４１に表示する処理である。
【００７８】
例えば、画像形成装置１００において、ＰＣ２００よりプリントジョブのジョブ情報を受信したこと等をトリガとして、ＲＯＭ５６３から読み出されて適宜ＲＡＭ５６２に展開された第２の表示プログラムと、ＣＰＵ５６１との協働により第２の表示処理が実行される。  
【００７９】
先ず、ＰＣ２００より受信したジョブ情報に表示色情報が含まれている（指定されている）か否かが判別される（ステップＳ２０１）。表示色情報が指定されていないと判別された場合（ステップＳ２０１；ＮＯ）、デフォルト色でジョブ情報が表示部４１に表示される（ステップＳ２０５）。例えば、デフォルト色として「白色」が設定されていた場合、図４のジョブ情報確認画面Ｇ２の「伊藤株式会社Ａ」に示すように、ジョブ情報は白色で表示部４１に表示される。ステップＳ２０５の実行後、第２の表示処理は終了する。
【００８０】
ステップＳ２０１において、表示色情報が指定されていると判別された場合（ステップＳ２０１；ＹＥＳ）、表示色情報の色（表示色）でジョブ情報が表示される（ステップＳ２０２）。例えば、表示色情報の色として「赤色」が指定されていた場合、指定された「赤色」でジョブ情報が表示部４１に表示される。
【００８１】
ステップＳ２０２の実行後、ジョブ情報に点滅表示を指示する情報があるか否かが判別される（ステップＳ２０３）。この場合、点滅表示を指示する情報は、ユーザによりＰＣ２００の操作部２２を介して設定される。
【００８２】
ステップＳ２０３において、ジョブ情報に点滅表示を指示する情報がないと判別された場合（ステップＳ２０３；ＮＯ）、色情報登録処理は終了する。この場合、ジョブ情報は、表示色（例えば、赤色）で表示される。
【００８３】
ステップＳ２０３において、点滅表示を指示する情報があると判別された場合（ステップＳ２０３；ＹＥＳ）、表示色でジョブ情報が点滅表示される（ステップＳ２０４）。ステップＳ２０４の実行後、第２の表示処理は終了する。
【００８４】
以上、本実施の形態によれば、予約ジョブの情報（ジョブ情報）に含まれる表示色情報の色でジョブ情報を表示部４１に表示させることができる。これにより、ユーザはジョブ情報の文字を視認できる距離まで近づく必要がないので、ユーザが確認したいジョブ情報の識別を容易に行うことができる。
【００８５】
また、操作部２２により受け付けられた表示色情報の色でジョブ情報を表示部４１に表示させることができる。これにより、ユーザは、操作部２２を介して、表示色情報を指定することができる。
【００８６】
また、ジョブ情報の表示形態を変更する指示情報に基づいて、ジョブ情報を表示部４１に表示させることができる。これにより、ユーザは、ジョブ情報を容易に識別することができる。
【００８７】
なお、上記実施の形態における記述は、本発明に係る画像形成装置１００の一例であり、これに限定されるものではない。
【００８８】
例えば、上記実施の形態では、色情報登録画面Ｇ１及び表示色指定画面６２において、色ボタンを表示する構成としたが、色ボタンと共に、文字情報を表示することとしてもよい。例えば、色情報登録画面Ｇ１の赤色ボタン３５Ａの付近に、「赤色」と文字情報を表示することとしてもよい。これにより、ユーザが色盲であっても、文字情報を参照することにより、色情報及び表示色の設定が可能となる。
【００８９】
また、ジョブ情報確認画面Ｇ２に、重要度を示す情報を表示することとしてもよい。例えば、図４で説明したジョブ情報確認画面Ｇ２のジョブ情報リスト７１における「ユーザ」の隣に、重要度を示す情報を表示することとしてもよい。これにより、ユーザはジョブ情報の重要度を把握することができる。
【００９０】
また、ジョブ情報の表示形態としてジョブ情報を点滅表示することとしたが、これに限定されるものではない。例えば、ジョブ情報の文字を、他のジョブ情報の文字よりも大きくする表示形態としてもよい。
【００９１】
その他、上記実施の形態における画像形成装置１００の細部構成及び詳細動作に関しても、本発明の趣旨を逸脱しない範囲で適宜変更可能である。
【図面の簡単な説明】
【００９２】
【図１】本発明に係る画像形成装置の構成の一例を示すブロック図である。
【図２】ＰＣの構成の一例を示すブロック図である。
【図３】色情報登録画面の一例を示す図である。
【図４】ジョブ情報確認画面の一例を示す図である。
【図５】色情報登録処理を示すフローチャートである。
【図６】第１の表示処理を示すフローチャートである。
【図７】プリント設定画面の一例を示す図である。
【図８】表示色情報指定処理を示す図である。
【図９】第２の表示処理を示すフローチャートである。
【図１０】従来のジョブ情報確認画面の一例を示す図である。
【符号の説明】
【００９３】
１     スキャナ部
２     プリント部
３     ＦＮＳ
４,２２      操作部
５     制御基板
２４,４１     表示部
２５,５７     記憶部
２６   通信部
３１   ユーザ名ボタン
３２   登録ボタン
３３   削除ボタン
３４   ユーザ名入力ボタン
３５,６３     色ボタン
３５Ａ ,６３Ａ  赤色ボタン
３６   キャンセルボタン
３７,６３Ａ   ＯＫボタン
５１   読取処理部
５２   書込処理部
５３   ＶＲＡＭ
５４   表示制御部
５５   プリントコントローラ
５６   制御部
６１   設定画面
６２   表示色設定画面
７１   ジョブ情報リスト
１００ 画像形成装置
【図１】
2008306646.tif 000003
【図２】
2008306646.tif 000004
【図３】
2008306646.tif 000005
【図４】
2008306646.tif 000006
【図５】
2008306646.tif 000007
【図６】
2008306646.tif 000008
【図７】
2008306646.tif 000009
【図８】
2008306646.tif 000010
【図９】
2008306646.tif 000011
【図１０】
2008306646.tif 000012